(57)【要約】      （修正有）【課題】安定的に駆動することができる電界発光表示装置を提供する。【解決手段】複数の画素を含み映像を表示するピクセル回路部１２と、ピクセル回路部１２にデータ信号を供給するデータ駆動部１４と、ピクセル回路部１２にスキャン信号を供給するスキャン駆動部１６と、データ駆動部１４にガンマ値を提供してデータ信号の大きさを調節するガンマ補正部２２と、データ駆動部１４およびスキャン駆動部１６に制御信号を印加し、データ駆動部１４の駆動時間に従って変化するガンマ値を提供するようにガンマ補正部２２を制御する変動ガンマ制御信号を提供するタイミングコントローラー１８を含む。【選択図】図３
2007011369.tif 000002
【特許請求の範囲】
【請求項１】
複数の画素を含み映像を表示するピクセル回路部と、
前記ピクセル回路部にデータ信号を供給するデータ駆動部と、
前記ピクセル回路部にスキャン信号を供給するスキャン駆動部と、
前記データ駆動部にガンマ値を提供して前記データ信号の大きさを調節するガンマ補正部と、
前記データ駆動部および前記スキャン駆動部に制御信号を印加し、駆動時間に従って変化するガンマ値を提供するように前記ガンマ補正部を制御する変動ガンマ制御信号を提供するタイミングコントローラーと
を含む電界発光表示装置。
【請求項２】
前記ピクセル回路部の駆動時間により決定される輝度特性を貯蔵し、前記輝度特性を前記タイミングコントローラーに提供する輝度特性テーブル貯蔵部をさらに含み、
前記タイミングコントローラーは、前記輝度特性に対応する変動ガンマ制御信号を前記ガンマ補正部に提供する
ことを特徴とする請求項１記載の電界発光表示装置。
【請求項３】
前記タイミングコントローラーの前記変動ガンマ制御信号は、第１時刻から第２時刻までの間、前記データ駆動部に第１ガンマ値を提供し、前記第２時刻経過後から前記第１ガンマ値より大きい第２ガンマ値を提供するように前記ガンマ補正部を制御するガンマ制御信号であることを特徴とする請求項２記載の電界発光表示装置。
【請求項４】
前記第１時刻は、電界発光表示装置が最初に駆動される時刻であり、前記第２時刻は、前記ピクセル回路部が所定範囲の輝度を発する時刻であることを特徴とする請求項３記載の電界発光表示装置。
【請求項５】
前記ガンマ補正部は、前記データ駆動部に一体に形成されているデジタルガンマ部であることを特徴とする請求項２記載の電界発光表示装置。
【請求項６】
前記画素は、２つの電極の間に形成された有機発光層を含むことを特徴とする請求項１記載の電界発光表示装置。
【請求項７】
複数の画素を含み映像を表示するピクセル回路部と、
前記ピクセル回路部にデータ信号を供給するデータ駆動部と、
前記ピクセル回路部にスキャン信号を供給するスキャン駆動部と、
前記データ駆動部にガンマ値を提供して前記データ信号の大きさを調節するガンマ補正部と、
前記データ駆動部および前記スキャン駆動部に制御信号を印加し、電界発光表示装置が最初に駆動された時刻から所定の時間、前記ピクセル回路部の輝度特性に対応したガンマ値を前記データ駆動部に提供するように前記ガンマ補正部を制御する変動ガンマ制御信号を提供するタイミングコントローラー
を含む電界発光表示装置。
【請求項８】
電界発光表示装置が最初に駆動された時刻から所定の時間の間変化する前記ピクセル回路部の輝度特性を貯蔵し、前記輝度特性を前記タイミングコントローラーに提供する輝度特性テーブル貯蔵部をさらに含み、
前記タイミングコントローラーは、前記輝度特性に対応する変動ガンマ制御信号を前記ガンマ補正部に提供する
ことを特徴とする請求項７記載の電界発光表示装置。
【請求項９】
前記電界発光表示装置が最初に駆動された時刻からの所定の時間は、１００時間以下であることを特徴とする請求項８記載の電界発光表示装置。
【請求項１０】
前記ガンマ補正部は、前記データ駆動部に一体に形成されているデジタルガンマ部であることを特徴とする請求項７記載の電界発光表示装置。
【請求項１１】
前記画素は、２つの電極の間に形成された有機発光層を含むことを特徴とする請求項７記載の電界発光表示装置。
【請求項１２】
複数の画素を含み映像を表示するピクセル回路部にスキャン信号を供給するスキャン駆動段階と、
電界発光表示装置が最初に駆動された時刻から所定の時間、前記スキャン信号が供給される間に、前記ピクセル回路部の輝度特性に対応するガンマ値によって大きさが変わるデータ信号を供給するデータ駆動段階と
を含むことを特徴とする電界発光表示装置の駆動方法。
【請求項１３】
前記電界発光表示装置が最初に駆動された時刻から所定の時間変化する前記ピクセル回路部の輝度特性をテーブルとして貯蔵する輝度特性貯蔵段階をさらに含み、
前記データ駆動段階で供給される前記データ信号の大きさは、前記テーブルに貯蔵された前記輝度特性に従って変化することを特徴とする請求項１２記載の電界発光表示装置の駆動方法。
【請求項１４】
前記電界発光表示装置が最初に駆動された時刻からの所定の時間は、１００時間以下であることを特徴とする請求項１１記載の電界発光表示装置の駆動方法。
【請求項１５】
前記画素は、２つの電極の間に形成された有機発光層を含むことを特徴とする請求項１１記載の電界発光表示装置の駆動方法。
【発明の詳細な説明】
【技術分野】
【０００１】
本発明は、電界発光表示装置及びその駆動方法に関する。
【背景技術】
【０００２】
電界発光素子は、２つの電極の間に形成された発光部を含む自発光素子である。
【０００３】
電界発光素子を含む電界発光表示装置は、液晶ディスプレイ装置のように別途の光源を要する受動型発光素子に比べて、応答速度が早く直流駆動電圧が低く超薄膜化が可能であり、壁掛け用または携帯用での応用が可能である。
【０００４】
一方、電界発光素子は、赤色、青色、緑色のサブピクセルが１つの色を表示するピクセルを利用してカラー表示を実現している。
【０００５】
また、電界発光素子は、サブピクセルを駆動する方式で単純マトリックス型電界発光素子（ＰＭＯＬＥＤ）と薄膜トランジスター（ＴＦＴ）を利用して駆動する方式であるアクティブマトリックス型電界発光素子（ＡＭＯＬＥＤ）に分類される。
【０００６】
図１は、従来のアクティブマトリックス型電界発光素子の断面図である。
【０００７】
図１を参照すれば、従来のアクティブマトリックス型電界発光素子３０は、基板３２上に形成された薄膜トランジスター部３４と、この薄膜トランジスター部３４のドレーンと接触する画素電極３６と、この画素電極３６上に多層に積層された有機発光層３８と、この有機発光層３８上に形成されたカソード電極４０と、カソード電極４０上に形成された保護層４２とを含んでいる。
【０００８】
従来のアクティブマトリックス型電界発光素子３０は、薄膜トランジスター部３４のゲートにスキャン信号が印加された状態でソースにデータ信号を印加することで、画素電極３６とカソード電極４０を通じて有機発光層３８に正孔と電子が供給され、それにより、正孔と電子が再結合しながら発光する。
【０００９】
このような従来のアクティブマトリックス型電界発光素子３０が最初に駆動された時には、その輝度が不安定であり、ある時間が経過した後に安定化される。
【００１０】
図２は、この従来のアクティブマトリックス型電界発光素子の輝度特性を示すグラフである。
【００１１】
図２を参照すれば、従来のアクティブマトリックス型電界発光素子３０は、グラフＡのように、最初に駆動された時、輝度が急激に上昇した後に下降し、ある時間が経過しなければ一定な輝度を示さない。
【発明の開示】
【発明が解決しようとする課題】
【００１２】
このような輝度特性を有する従来のアクティブマトリックス型電界発光素子３０が連続して駆動される時には、駆動薄膜トランジスター部３４と有機発光層３８に相当な衝撃が与えられ、寿命が急激に短縮するという問題があった。
【００１３】
したがって、従来のアクティブマトリックス型電界発光素子３０を利用して映像を表示する電界発光表示装置の場合、寿命問題がその実用化に大きな障害物になった。
【００１４】
従って、本発明の目的は、このような従来の問題点を解決することにある。
【課題を解決するための手段】
【００１５】
本発明の電界発光表示装置は、複数の画素を含み映像を表示するピクセル回路部と、ピクセル回路部にデータ信号を供給するデータ駆動部と、ピクセル回路部にスキャン信号を供給するスキャン駆動部と、データ駆動部にガンマ値を提供してデータ信号の大きさを調節するガンマ補正部と、データ駆動部およびスキャン駆動部に制御信号を印加し、駆動時間に従って変化するガンマ値を提供するように前記ガンマ補正部を制御する変動ガンマ制御信号を提供するタイミングコントローラーとを含む。
【００１６】
本発明の電界発光表示装置は、ピクセル回路部の駆動時間により決定される輝度特性を貯蔵し、その輝度特性をタイミングコントローラーに提供する輝度特性テーブル貯蔵部をさらに含み、タイミングコントローラーは、輝度特性に対応する変動ガンマ制御信号をガンマ補正部に提供する。
【００１７】
また、タイミングコントローラーの変動ガンマ制御信号は、第１時刻から第２時刻までの間、データ駆動部に第１ガンマ値を提供し、第２時刻経過後から第１ガンマ値より大きい第２ガンマ値を提供するようにガンマ補正部を制御するガンマ制御信号である。
【００１８】
また、第１時刻は、電界発光表示装置が最初に駆動される時刻であり、第２時刻は、ピクセル回路部が所定範囲の輝度を発する時刻である。
【００１９】
また、ガンマ補正部は、データ駆動部に一体に形成されているデジタルガンマ部である。
【００２０】
また、上で説明した画素は、２つの電極の間に形成された有機発光層を含む。
【００２１】
また、本発明の他の電界発光表示装置は、複数の画素を含み映像を表示するピクセル回路部と、ピクセル回路部にデータ信号を供給するデータ駆動部と、ピクセル回路部にスキャン信号を供給するスキャン駆動部と、データ駆動部にガンマ値を提供してデータ信号の大きさを調節するガンマ補正部と、データ駆動部およびスキャン駆動部に制御信号を印加し、前記電界発光表示装置が最初に駆動された時刻から所定の時間、ピクセル回路部の輝度特性に対応したガンマ値をデータ駆動部に提供するようにガンマ補正部を制御する変動ガンマ制御信号を提供するタイミングコントローラーを含む。
【００２２】
また、上で説明した電界発光素子は、前記電界発光表示装置が最初に駆動された時刻から所定の時間の間変化するピクセル回路部の輝度特性を貯蔵し、輝度特性をタイミングコントローラーに提供する輝度特性テーブル貯蔵部をさらに含み、タイミングコントローラーは、輝度特性に対応する変動ガンマ制御信号をガンマ補正部に提供する。
【００２３】
また、電界発光表示装置が最初に駆動された時刻からの所定の時間は、１００時間以下である。
【００２４】
また、ガンマ補正部は、データ駆動部に一体に形成されているデジタルガンマ部である。
【００２５】
また、画素は、２つの電極の間に形成された有機発光層を含む。
【００２６】
また、本発明の電界発光表示装置の駆動方法は、複数の画素を含み映像を表示するピクセル回路部にスキャン信号を供給するスキャン駆動段階と、電界発光表示装置が最初に駆動された時刻から所定の時間、スキャン信号が供給される間に、ピクセル回路部の輝度特性に対応するガンマ値によって大きさが変わるデータ信号を供給するデータ駆動段階とを含む。
【００２７】
また、上で説明した電界発光表示装置の駆動方法は、前記電界発光表示装置が最初に駆動された時刻から所定の時間変化する前記ピクセル回路部の輝度特性をテーブルとして貯蔵する輝度特性貯蔵段階をさらに含み、データ駆動段階で供給されるデータ信号の大きさは、テーブルに貯蔵された輝度特性に従って変化する。
【００２８】
また、電界発光表示装置が最初に駆動された時刻からの所定の時間は、１００時間以下である。
【００２９】
さらに、画素は、２つの電極の間に形成された有機発光層を含む。
【発明を実施するための最良の形態】
【００３０】
以下では、本発明による具体的な実施の形態を、添付された図面を参照して説明する。
【００３１】
図３は、本発明の実施の形態１による電界発光表示装置のシステム構成図であり、図４は、図３の電界発光素子の等価回路図である。
【００３２】
図３を参照すれば、本発明の実施の形態１による電界発光表示装置１０は、ピクセル回路部１２、データ駆動部１４、スキャン駆動部１６、タイミングコントローラー１８、輝度特性テーブル貯蔵部２０、およびガンマ補正部２２を含んでいる。
【００３３】
電界発光素子２８は、電子と正孔の再結合で蛍光物質を発光させる自発光素子である。
【００３４】
ピクセル回路部１２は、データライン２４とスキャンライン２６が交差する位置に形成された電界発光素子２８を複数含む。
【００３５】
このようなピクセル回路部１２は、電界発光素子２８の選択的組合を通じて画面に映像を表示する。
【００３６】
図４を参照すれば、電界発光素子２８は、有機発光ダイオード（ＯＬＥＤ）、電源電圧（ＶＤＤ）と有機発光ダイオード（ＯＬＥＤ）との間に繋がれた駆動薄膜トランジスター（ＴＤ）、駆動薄膜トランジスター（ＴＤ）のゲートとソースとの間に繋がれた貯蔵キャパシター（Ｃｓｔ）、およびデータライン２４と駆動薄膜トランジスター（ＴＤ）のゲートとの間に繋がれ、ゲートがスキャンライン２６に接続されたスイッチング薄膜トランジスター（ＴＳ）を含む。
【００３７】
この電界発光素子２８は、スキャンライン２６を通じてスキャン信号が印加された状態で、データライン２４を通じてデータ信号またはデータ電圧が印加されれば、スイッチング薄膜トランジスター（ＴＳ）がオン状態になってデータ信号を駆動薄膜トランジスター（ＴＤ）に伝達する。
【００３８】
このデータ信号は、スキャン信号が消去されても、駆動薄膜トランジスター（ＴＤ）を駆動して、そして出力電流を有機発光ダイオード（ＯＬＥＤ）に供給するために、貯蔵キャパシター（Ｃｓｔ）に貯蔵される。
【００３９】
したがって、電界発光素子２８は、データ信号またはデータ電圧の大きさを調節するので、有機発光ダイオード（ＯＬＥＤ）の輝度を調節することができる。
【００４０】
データ駆動部１４は、データライン２４を通じてピクセル回路部１２の電界発光素子２８にデータ信号を印加する。
【００４１】
データ駆動部１４は、ガンマ補正部２２のガンマ値によって大きさが異なるデータ信号またはデータ電圧を、データライン２４を通じて電界発光素子２８に印加する。
【００４２】
この時、データ駆動部１４は、別途の集積回路（ＩＣ）であることもあり、また、パネルに形成されることもできる。
【００４３】
また、データ駆動部１４は、１つであることもあり、２つ以上であることもある。
【００４４】
スキャン駆動部１６は、スキャンライン２６を通じてピクセル回路部１２の電界発光素子２８にスキャン信号または選択信号を印加する。
【００４５】
スキャン駆動部１６は、１つであることもあり、２つ以上であることもある。
【００４６】
タイミングコントローラー１８は、データ駆動部１４とスキャン駆動部１６にそれぞれＲ、Ｇ、Ｂ制御信号とスキャン制御信号を供給して、データ駆動部１４とスキャン駆動部１６を制御する。
【００４７】
また、タイミングコントローラー１８は、ガンマ補正部２２に変動ガンマ制御信号を供給して、ガンマ補正部２２がデータ駆動部１４に提供するガンマ値を制御する。
【００４８】
詳細には、タイミングコントローラー１８は、ガンマ補正部２２がデータ駆動部１４に対して、時間によって変わるガンマ値を提供するように、変動ガンマ制御信号をガンマ補正部２２に提供する。
【００４９】
前記ガンマ値は、輝度特性テーブル貯蔵部２０に貯蔵された輝度特性に応じて対応して変化する。輝度特性は、電界発光素子２８の駆動時間に従って変化する。
【００５０】
輝度特性テーブル貯蔵部２０は、電界発光素子２８の駆動時間に従った種々の輝度特性をあらかじめ測定して、テーブル化して貯蔵している。
【００５１】
図５は、本発明の実施の形態１による電界発光素子の輝度特性を示すグラフである。
【００５２】
図５のグラフＡは、輝度特性テーブル貯蔵部２０に貯蔵された輝度特性の変化を示しており、電界発光素子２８の駆動時間に応じて変化している様子を示している。
【００５３】
グラフＢは、本発明の実施の形態１による電界発光表示装置１０の予想輝度特性を示す。
【００５４】
グラフＣは、データ駆動部１４がデータライン２４を通じて電界発光素子２８に供給するデータ信号またはデータ電圧の変化を示す。
【００５５】
図５を参照すれば、輝度特性テーブル貯蔵部２０は、図５のグラフＡのような電界発光素子２８の駆動時間に従って変化する輝度特性を貯蔵している。
【００５６】
輝度特性テーブル貯蔵部２０は、電界発光素子２８の駆動時間に従って変化する輝度特性を、タイミングコントローラー１８に提供する。
【００５７】
また、図３を参照すれば、タイミングコントローラー１８は、上述した輝度特性によって、変動ガンマ制御信号をガンマ補正部２２に提供する。
【００５８】
それによって、ガンマ補正部２２は、電界発光素子２８が最初に駆動された時に上昇する輝度変化を相殺することができるガンマ値を、データ駆動部１４に供給する。
【００５９】
電界発光素子２８の輝度特性によってガンマ補正部２２がデータ駆動部１４に提供したガンマ値に対応するように、データ駆動部１４がデータラインを通じて電界発光素子２８に印加するデータ信号またはデータ電圧の変化は、グラフＣに示すようになる。
【００６０】
また、図５を参照すれば、グラフＣに示すように駆動されるデータ電圧がグラフＡのような電界発光素子２８の輝度特性を相殺した結果として、本発明の実施の形態１による電界発光表示装置１０は、グラフＢのような輝度特性を示す。
【００６１】
詳細には第１時刻、すなわち、最初に駆動された時には最小データ信号（Ｖ＿ｍｉｎ）を印加し、時間が経つにつれて最小データ信号（Ｖ＿ｍｉｎ）より相対的に大きいデータ信号を印加する。
【００６２】
電界発光素子２８の駆動時間が第２時刻（例えば、１００時間）を経過した後に最大データ信号（Ｖ＿ｍａｘ）が印加されるようにすることにより、電界発光表示装置１０を安定的に駆動することができる。
【００６３】
すなわち、図５のグラフＡのような電界発光素子２８の輝度特性を輝度特性テーブル貯蔵部２０に貯蔵しておき、ガンマ補正部２２が電界発光素子２８の輝度特性に対応するガンマ値をデータ駆動部１４に提供する。
【００６４】
データ駆動部１４は、ガンマ値によって補正されたデータ信号またはデータ電圧をデータラインを通じて電界発光素子２８に印加する。これによって印加されるデータ電圧は、図５のＣのようになる。
【００６５】
この結果、本発明の実施の形態１による電界発光表示装置１０は、理想的にグラフＢのような輝度特性を示す。データ電圧を最大Ｖ＿ｍａｘから最小Ｖ＿ｍｉｎまで変化させることにより、電界発光表示装置１０は、一定な輝度を示すようになる。
【００６６】
以上、図面を参照して本発明の実施の形態１を説明したが、本発明は、これに制限されない。
【００６７】
上述の実施の形態１で、電界発光素子２８は、図４のような画素構造であることを説明したが、これに制限されるものではなく、多様な画素構造を持つことができる。
【００６８】
例えば、駆動薄膜トランジスター（ＴＤ）のしきい電圧を償うためのしきい電圧補償部を含むこともできる。
【００６９】
また、電界発光素子２８は、図１に示す従来の電界発光素子とすることもでき、現在または将来のすべてのタイプの電界発光素子を含む。
【００７０】
上述の実施の形態１で、輝度特性テーブル貯蔵部２０に電界発光素子２８の輝度特性を貯蔵した後、ガンマ補正部２２がこの輝度特性に対応するガンマ値をデータ駆動部１４に提供することを説明したが、輝度特性を輝度特性テーブル貯蔵部２０に貯蔵しないで、タイミングコントローラー１８やガンマ補正部２２が電界発光素子２８の輝度特性に応じて変化するガンマ値をデータ駆動部１４に提供することもできる。
【００７１】
上述の実施の形態１で、ガンマ補正部２２がデータ駆動部１４とは別に存在することを説明したが、データ駆動部１４内に存在することもできる。
【００７２】
この時、ガンマ補正部２２は、デジタルガンマ部であることもある。
【００７３】
以上、本発明の実施の形態１による電界発光素子は、駆動された時間が１００時間以下で、望ましくは約９０時間近くで、安定的な輝度特性を示すことを説明した。しかしながら、本発明は、これに限定されるものではなく、素子の材料及び駆動部特性によって多様な時間帯の輝度特性を持たせることができる。
以上、本発明の実施の形態１による電界発光素子のピクセル回路部は、有機物発光層、無機物発光層のうち、何れの１つかまたは１つ以上を含むことができる。
【図面の簡単な説明】
【００７４】
【図１】従来のアクティブマトリックス型電界発光素子の断面図。
【図２】従来のアクティブマトリックス型電界発光素子の輝度特性を示すグラフ。
【図３】本発明の実施の形態１による電界発光表示装置のシステム構成図。
【図４】図３の電界発光素子の等価回路図。
【図５】本発明の実施の形態１による電界発光素子の輝度特性を示すグラフ。
【符号の説明】
【００７５】
１０  電界発光表示装置、１２  ピクセル回路部、１４  データ駆動部、１６  スキャン駆動部、１８  タイミングコントローラー、２０  輝度特性テーブル貯蔵部、２２  ガンマ補正部、２４  データライン、２６  スキャンライン、２８  電界発光素子、３０  アクティブマトリックス型電界発光素子、３２  基板、３４  薄膜トランジスター部、３６  画素電極、３８  有機発光層、４０  カソード電極、４２  保護層。
【図１】
2007011369.tif 000003
【図２】
2007011369.tif 000004
【図３】
2007011369.tif 000005
【図４】
2007011369.tif 000006
【図５】
2007011369.tif 000007